(57)【要約】【課題】従来から洗濯物を干す場合にはハンガー等を利用する事が多くみられる。しかし単純に洗濯物を掛けたハンガーを物干し竿に吊るす方法では、風の影響でハンガー等が片寄り乾燥に時間がかかることや、ハンガー等が落下する場合があった。【解決手段】物干し竿に当発明品である仕切用固定部材とロープ状部材を設置する事により、ハンガー等の移動を制限し洗濯物の間隔を保ち乾燥時間を短縮する事ができる、また強風時にもハンガー等の落下を防ぎ洗濯物の紛失、汚れを防止する事ができる。【選択図】図１
2006136684.tif 000002
【特許請求の範囲】
【請求項１】
竿の長手方向に渡した伸縮可能なロープ状部材と、弾性があり竿径より小さな内径を持ちその弾性力を利用し竿に圧着固定する開環状の仕切用固定部材から構成され、風等によるハンガー等の移動を制限し、落下を防止する洗濯物乾燥補助用具。
【請求項２】
仕切用固定部材の数はハンガー等の使用数にあわせて設置後でも簡単に増減が可能であるということを特徴とする請求項１に記載の洗濯物乾燥補助用具。
【請求項３】
両端が固定された手摺を物干し竿の代用として使用した場合にも設置が可能であるということを特徴とする請求項１に記載の洗濯物乾燥補助用具。
【発明の詳細な説明】
【技術分野】
【０００１】  本発明は風等による物干しハンガー等の落下防止及び移動を制限するものである
【背景技術】
【０００２】  従来は、洗濯物を干す場合にハンガーに洗濯物を掛け物干し竿に吊るすことが多かった。しかし風の影響でハンガーが片寄り乾燥に時間がかかることや、ハンガーが落下する場合があった。その対応策として様々な補助装置が考案されている。【０００３】
【特許文献１】  特開平０９−３８３８７号公報
【特許文献２】  特開平１０−１２７９９１号公報
【発明の開示】
【発明が解決しようとする課題】
【０００４】  しかしながら以上の技術によれば、単に洗濯物を掛けたハンガーを物干し竿に吊るす方法では、風の影響でハンガー等が片寄り乾燥に時間がかかることや、ハンガー等が落下する場合があった。また、従来からの補助装置を使用するとその設置や撤去に手間がかかり、両端の固定された物干し竿及び手摺等には設置が困難であった。さらに使用するハンガー等の数量にも制限が多かった
【課題を解決するための手段】
【０００５】以上の課題を解決するために、第一発明は竿の長手方向に渡した伸縮可能なロープ状部材と、弾性があり竿径より小さな内径を持ちその弾性力、復元力を利用し竿に圧着固定する開環状の仕切用固定部材から構成され、風等によるハンガー等の移動を制限し、落下を防止する洗濯物乾燥補助用具である。
また第二発明はロープ状部材と仕切用固定部材からなり設置や撤去が容易であり、仕切用固定部材の数はハンガー等の使用数にあわせて設置後でも簡単に増減が可能であるということを特徴とする洗濯物乾燥補助用具である。
さらに第三発明は両端が固定された手摺等を物干し竿の代用として使用した場合にも設置が可能であるということを特徴とする洗濯物乾燥補助用具である。
【発明の効果】
【０００６】  第一発明によれば仕切用固定部材がハンガーの左右の動きを制限し、ロープ状部材が上下の動きを制限する事により強風時にもハンガー等の落下を防止する事ができる。
第二発明によればロープ状部材と仕切用固定部材から構成され部品点数が少なく、竿にかけるハンガー等の数量によって仕切用固定部材の数量が簡単に増減できることにより経済的である。
第三発明によれば、両端が固定されている手摺にも使用でき、物干し竿の代用にもなる
【発明を実施するための最良の形態】
【実施例１】
【０００７】  この発明の実施形態を図１、図２、図３、図４、図５に示す。
図１は本発明を物干し竿に取り付けた状態を示した正面図であり、図２は本発明を物干し竿に取り付けた状態を示した上方図である。本発明は仕切用固定部材１とロープ状部材２から構成される。仕切用固定部材１は弾性があり復元力のある素材、例えば金属・合成樹脂・プラスチック・ゴム等でできており、ロープ状部材２は１本の環状で伸縮性のあるロープ状の素材、例えばゴム・布・金属・合成樹脂・プラスチック等で構成される。【０００８】  図３は仕切用固定部材１の側面図である。仕切用固定部材１にある二箇所のロープ状部材通し用凹部４はロープ状部材２を通すためのものである。仕切用固定部材１は竿径より小さな内径を持ち仕切用固定部材１の弾性及び復元力によって物干し竿に圧着固定する。また指掛け用先端部５は外側に折り返され、指をかけ仕切用固定部材１を物干し竿から外しやすいようになっている【０００９】  図４は本発明を物干し竿に設置しハンガー等を掛けた状態を示した斜視図である。仕切用固定部材１がハンガー等７の左右の動きを制限し、ロープ状部材２が上下の動きを制限する事により強風時にもハンガー等７の落下を防止する事ができる。また仕切用固定部材１の使用数は少なくとも両端の２個あれば良く、その間に設置する仕切用固定部材１の使用数はハンガー等の数量にあわせて増減させる事ができる。【００１０】  図５は本発明のみの斜視図である。ロープ状部材通し用凹部の開口部６はロープ状部材２の直径よりも狭くなっているため、ロープ状部材通し用凹部４に仕切用固定部材１の弾性力及び復元力によりロープ状部材２をはめ込むと外れにくくなる。【００１１】  本発明の設置方法は仕切用固定部材１のロープ状部材通し用凹部４にロープ状部材２を通す。次に物干し竿に仕切用固定部材１をその弾性及び復元力によって圧着固定する。【００１２】  本発明によれば強風時にも仕切用固定部材１とロープ状部材２により物干し竿に掛けたハンガー等の落下を防止し、洗濯物の間隔も保つ事ができる。
ロープ状部材２は伸縮性があるためハンガー等の取り付け、取り外しが容易である。
仕切用固定部材１には突起が少なくシーツ、バスタオル等を直接物干し竿に掛ける場合にも邪魔にならない。
【実施例２】
【００１３】  実施例１ではロープ状部材２は１本の環状としたが１本の棒状のものを２本使用する事ができる。この場合ロープ状部材端部８は結び目を作る等でロープ状部材通し用凹部４の直径より大きくする必要がある。図６は本発明を物干し竿に取り付けた状態を示した正面図であり、図７は本発明を物干し竿に取り付けた状態を示した上方図である。
【実施例３】
【００１４】  仕切用固定部材１にゴム等摩擦係数の高い素材でコーティングしてもよい。【００１５】  仕切用固定部材１の形状は次のものでも良い。図８はロープ状部材通し用凹部４を三箇所設けたものである。図９は指掛け用先端部５をニ箇所設けたものである。図１０は  指掛け用先端部５をなくしたものである。図１１はロープ状部材通し用凹部４にロープ状部材通し用凹部の開口部６を設けないものである、これは両端のニ箇所に使用するのが望ましい。図１２と図１３は仕切用固定部材１から突起をなくしたものである。図１４は仕切用固定部材１の形状を四角にしたものである、このように仕切用固定部材１の形状は物干し竿又は手摺等の形状に合わせ楕円、三角等にすることができる。図１５はロープ状部材通し用凹部４に洗濯バサミ等吊り下げ用紐又は鎖９を通し洗濯バサミ等を取りつけたものである。【００１６】  このように仕切用固定部材１はその形状、ロープ状部材通し用凹部４の数量、指掛け用先端部５の数量及び有無、ロープ状部材通し用凹部の開口部６の有無の組み合わせは任意である。この場合ロープ状部材２は１本の環状、２本又は３本と仕切用固定部材１の形状に合わせて使用する
【図面の簡単な説明】
【００１７】
【図１】本発明の実施形態を示す正面図
【図２】本発明の実施形態を示す上方図
【図３】仕切用固定部材の側面図
【図４】本発明にハンガーを掛けた斜視図
【図５】仕切用固定部材にロープ状部材をはめ込んだ斜視図
【図６】ロープ状部材を２本使用した本発明の実施形態を示す正面図
【図７】ロープ状部材を２本使用した本発明の実施形態を示す上方図
【図８】ロープ状部材通し用凹部を３箇所設けた仕切用固定部材の側面図
【図９】指掛け用先端部を２箇所設けた仕切用固定部材の側面図
【図１０】指掛け用先端部を設けない仕切用固定部材の側面図
【図１１】ロープ状部材通し用凹部の開口部を設けない仕切用固定部材の側面図
【図１２】突起のない仕切用固定部材の側面図
【図１３】突起のない仕切用固定部材の側面図
【図１４】設置用物干し竿及び手摺等に形状を合わせた仕切用固定部材の側面図
【図１５】仕切用固定部材に洗濯バサミを取りつけた側面図
【符号の説明】
【００１８】１  仕切用固定部材
２  ロープ状部材
３  設置用物干し竿及び手摺等
４  ロープ状部材通し用凹部
５  指掛け用先端部
６  ロープ状部材通し用凹部の開口部
７  ハンガー等
８  ロープ状部材端部
９  洗濯バサミ等吊り下げ用紐又は鎖
１０  洗濯バサミ等
【図１】
2006136684.tif 000003
【図２】
2006136684.tif 000004
【図３】
2006136684.tif 000005
【図４】
2006136684.tif 000006
【図５】
2006136684.tif 000007
【図６】
2006136684.tif 000008
【図７】
2006136684.tif 000009
【図８】
2006136684.tif 000010
【図９】
2006136684.tif 000011
【図１０】
2006136684.tif 000012
【図１１】
2006136684.tif 000013
【図１２】
2006136684.tif 000014
【図１３】
2006136684.tif 000015
【図１４】
2006136684.tif 000016
【図１５】
2006136684.tif 000017